(57)【要約】【課題】  表示された画像に対して直感的な操作が可能となるユーザインターフェースの提供が可能なコンテンツ生成装置を提供する。【解決手段】  情報表示装置１０から画像の取得要求を受け付けて、取得要求に含まれる情報から情報表示装置１０の機種を特定する機種判定手段３３と、特定した機種の操作キーの少なくとも数と、配置と、形状との情報を機種データベース２２から取り出すレイアウト情報取得手段と、情報表示装置１０からの取得要求に応じた画像を画像データベース２３から取り出す画像・メタデータ取得手段３１と、取得した画像を、操作キーの形状に合わせて加工する画像加工手段３５と、加工した画像を、操作キーの配列に合わせて並べたコンテンツを作成するコンテンツ生成手段３６とを有する制御部２４を備えている。【選択図】        図４
2009099087.tif 000002
【特許請求の範囲】
【請求項１】
情報表示装置から画像の取得要求を受け付けて、該取得要求に含まれる情報から前記情報表示装置の機種を特定する機種特定手段と、
特定した機種の少なくとも操作キーの配置と形状との情報を第１記憶手段から取り出す第１取得手段と、
前記情報表示装置からの前記取得要求に応じた画像を第２記憶手段から取り出す第２取得手段と、
前記第２記憶手段から取得した画像を、前記操作キーの形状に合わせて加工する加工手段と、
加工した画像を、前記操作キーの配置に合わせて並べたコンテンツを作成するコンテンツ生成手段と、
を有することを特徴とするコンテンツ生成装置。
【請求項２】
前記コンテンツ生成手段は、加工した画像に、該画像が対応付けされた操作キー上に表示された数字と、文字と、記号との少なくとも１つを重畳することを特徴とする請求項１記載のコンテンツ生成装置。
【請求項３】
前記加工手段は、前記第２記憶手段から取得した複数の画像のステンドグラスコラージュ画像を生成し、
前記コンテンツ生成手段は、前記操作キーのページ送りキーに対応付ける画像に、該ページ送りキーを操作したときに表示される次の画像のステンドグラスコラージュ画像を配置することを特徴とする請求項１記載のコンテンツ生成装置。
【請求項４】
自装置の操作キーの配置と、形状とを少なくとも記憶した記憶手段と、
表示手段に表示する画像を、前記操作キーの形状に合わせて加工する加工手段と、
加工した画像を、前記操作キーの配置に合わせて並べた画像を生成する生成手段と、
を有することを特徴とする情報表示装置。
【請求項５】
コンピュータを、
情報表示装置から画像の取得要求を受け付けて、該取得要求に含まれる情報から前記情報表示装置の機種を特定する機種特定手段と、
特定した機種の少なくとも操作キーの配置と形状との情報を第１記憶手段から取り出す第１取得手段と、
前記情報表示装置からの前記取得要求に応じた画像を第２記憶手段から取り出す第２取得手段と、
前記第２記憶手段から取得した画像を、前記操作キーの形状に合わせて加工する加工手段と、
加工した画像を、前記操作キーの配置に合わせて並べたコンテンツを作成するコンテンツ生成手段として機能させるためのコンピュータプログラム。
【請求項６】
コンピュータを、
表示手段に表示する画像を、前記操作キーの形状に合わせて加工する加工手段と、
自装置の操作キーの配置と、形状とを少なくとも記憶した記憶手段を参照して、加工した画像を、前記操作キーの配置に合わせて並べた画像を生成する生成手段として機能させるためのコンピュータプログラム。
【発明の詳細な説明】
【技術分野】
【０００１】
本発明は、情報表示装置に操作部の操作情報を含むコンテンツを生成する技術に関する。なお、情報表示装置には、携帯電話、ＰＤＡ（Personal Digital Assistant）等の小型携帯端末や、デジタルカメラ、ＴＶ、オーディオ装置等の機器が挙げられる。また、操作部には、前述の情報表示装置に備えられたものだけではなく、リモコン等の本体装置とは別個に設けられた装置も含む。
【背景技術】
【０００２】
近年、通信技術等の進歩により、携帯電話、ＰＤＡ等の小型携帯端末においても、インターネット上のサーバ装置から静止画像、動画像やソフトウェア等をダウンロードして表示したり、携帯端末上でソフトウェアを動作させて楽しむことができるようになってきている。
しかしながら、携帯電話等のポインティングデバイスを具備していない端末用のコンテンツ作成者は、操作が直感的で分かりやすいコンテンツを作成する必要がある。
【０００３】
特許文献１では、ブラウザ搭載の携帯型装置に画像を表示させる際に、図１に示すようにテンキーの配列と同一の位置関係となるように画像を分割して配置し、テンキーが操作されると、操作されたキーと同じ位置にある画像が拡大表示されるようにしている。
【０００４】
非特許文献１では、Ｗｅｂ上の画像を検索し、検索結果の画像のサムネイルを携帯端末のテンキーのレイアウトに対応付けて表示している。
【０００５】
【特許文献１】特開２００３−２７３９７１号公報
【非特許文献１】http://cougar.ships/tv
【発明の開示】
【発明が解決しようとする課題】
【０００６】
例えば、携帯電話の表示画面に複数の画像を表示し、ユーザにこれらの画像の中から一つを選択させるには、ユーザが携帯電話の上下キーを使って逐次的に選択画像を指示する必要がある。画像の数が多くなってくると操作が煩雑になるという課題がある。
【０００７】
また特許文献１のように１枚の画像を分割して、テンキーのレイアウトと位置的に対応付けた部分画像を表示する方法では、携帯端末によって操作キーのデザイン（形状、レイアウト）が異なるため、直感的な操作性を提供することができない。非特許文献１の開示技術も同様の理由により直感的な操作性を提供することはできない。
【０００８】
本発明は上記事情に鑑みてなされたものであり、表示された画像に対して直感的な操作が可能となるユーザインターフェースの提供が可能なコンテンツ生成装置、情報表示装置及びコンピュータプログラムを提供することを目的とする。
【課題を解決するための手段】
【０００９】
かかる目的を達成するために本発明のコンテンツ生成装置は、情報表示装置から画像の取得要求を受け付けて、該取得要求に含まれる情報から前記情報表示装置の機種を特定する機種特定手段と、特定した機種の少なくとも操作キーの配置と形状との情報を第１記憶手段から取り出す第１取得手段と、前記情報表示装置からの前記取得要求に応じた画像を第２記憶手段から取り出す第２取得手段と、前記第２記憶手段から取得した画像を、前記操作キーの形状に合わせて加工する加工手段と、加工した画像を、前記操作キーの配置に合わせて並べたコンテンツを作成するコンテンツ生成手段と、を有する構成としている。
従って、情報表示装置に表示した画像に対して直感的な操作が可能となる。
【００１０】
上記コンテンツ生成装置において、前記コンテンツ生成手段は、加工した画像に、該画像が対応付けされた操作キー上に表示された数字と、文字と、記号との少なくとも１つを重畳するとよい。
従って、操作性をさらに改善させることができる。
【００１１】
上記コンテンツ生成装置において、前記加工手段は、前記第２記憶手段から取得した複数の画像のステンドグラスコラージュ画像を生成し、前記コンテンツ生成手段は、前記操作キーのページ送りキーに対応付ける画像に、該ページ送りキーを操作したときに表示される次の画像のステンドグラスコラージュ画像を配置するとよい。
従って、操作キーを操作したときに次のページに表示される画像を事前に認識することができる。
【００１２】
本発明の情報表示装置は、自装置の操作キーの配置と、形状とを少なくとも記憶した記憶手段と、表示手段に表示する画像を、前記操作キーの形状に合わせて加工する加工手段と、加工した画像を、前記操作キーの配置に合わせて並べた画像を生成する生成手段とを有する構成としている。
従って、表示される画像に対して直感的な操作が可能となる。
【００１３】
本発明のコンピュータプログラムは、コンピュータを、情報表示装置から画像の取得要求を受け付けて、該取得要求に含まれる情報から前記情報表示装置の機種を特定する機種特定手段と、特定した機種の少なくとも操作キーの配置と形状との情報を第１記憶手段から取り出す第１取得手段と、前記情報表示装置からの前記取得要求に応じた画像を第２記憶手段から取り出す第２取得手段と、前記第２記憶手段から取得した画像を、前記操作キーの形状に合わせて加工する加工手段と、加工した画像を、前記操作キーの配置に合わせて並べたコンテンツを作成するコンテンツ生成手段として機能させることを特徴としている。
【００１４】
本発明のコンピュータプログラムは、コンピュータを、表示手段に表示する画像を、前記操作キーの形状に合わせて加工する加工手段と、自装置の操作キーの配置と、形状とを少なくとも記憶した記憶手段を参照して、加工した画像を、前記操作キーの配置に合わせて並べた画像を生成する生成手段として機能させることを特徴としている。
【発明の効果】
【００１５】
本発明によれば、表示された画像に対して直感的な操作が可能となるユーザインターフェースの提供が可能となる。
【発明を実施するための最良の形態】
【００１６】
添付図面を参照しながら本発明の好適な実施例を説明する。
【実施例１】
【００１７】
まず、図２を参照しながら本実施例のシステム構成を示す。
図２に示すように本実施例は、携帯端末等の情報表示装置１０と、コンテンツを収納した情報処理装置２０とがネットワークを介して接続されている。
情報表示装置１０は、入力部１１と、取得部１２と、表示部１３とを有している。入力部１１は、操作キー、ボタンなどの入力デバイスを有しており、取得部１２は、入力部１１によって選択された情報を情報処理装置２０から取得するＷｅｂブラウザソフトウェア等によって構成される。また、表示部１２は、取得部１２で取得した情報を表示画面に表示する。
【００１８】
情報処理装置２０は、通信部２１と、機種データベース２２と、画像データベース２３と、制御部２４とを有している。
通信部２１は、情報表示装置１０と通信を行い、情報表示装置１０からの情報の取得要求を受け付けて制御部２４に通知する。また、制御部２４から要求のあった情報を情報表示装置１０に送信する。
機種データベース２２には、情報の取得要求を出力する情報表示装置１０のレイアウト情報が格納されている。レイアウト情報には、情報表示装置１０の操作キーの配置、数、キーの形状、キーに割り付けられた機能及び情報表示装置１０の画面解像度などの情報が含まれる。
画像データベース２３には、情報表示装置１０に表示させる画像等のコンテンツが記録されている。
制御部２４は、情報処理装置２０の制御を行う。制御部２４は、情報表示装置１０から情報の要求を受け付けて、画像データベース２３から情報を取り出して加工し、通信部２１を介して要求のあった情報表示装置１０に送信する。
【００１９】
図３に、制御部２４のハードウェア構成を示す。制御部２４は、ＣＰＵ４１、ＲＯＭ４２、ＲＡＭ４３、ＮＶＲＡＭ（Non Volatile RAM）４４、入出力部４５などで構成される。ＣＰＵ４１は、ＲＯＭ４２に格納したプログラムを読み込んで、このプログラムに従った演算を行うことにより、後述するフローチャートに示す手順で制御を実行する。また、ＲＡＭ４３には、演算結果のデータが書き込まれ、ＮＶＲＡＭ４４は、ＲＡＭ４３に書き込まれていたデータで、電源オフ時に保存の必要なデータが書き込まれる。
なお、ＣＰＵ４１の制御に使用するプログラムは、ＣＤ−ＲＯＭ等の記録媒体に格納されたものを読み込んでＮＶＲＡＭ４４に格納してもよいし、通信網を介して送信されたプログラムを入出力部４５で受信してＮＶＲＡＭ４４に格納してもよい。
また、情報表示装置１０も図３と同様のハードウェア構成を備えている。
【００２０】
図４に、プログラム制御によって実現される制御部２４の構成を示す。
制御部２４は、プログラム制御によって画像・メタデータ取得手段３１、注目領域抽出手段３２、機種判定手段３３、レイアウト情報取得手段３４、画像加工手段３５、コンテンツ生成手段３６として機能する。
画像・メタデータ取得手段３１は、画像データベース２３から画像データやメタデータを取得する。
注目領域抽出手段３２は、画像・メタデータ取得手段３１から取得した画像の注目領域（region of interest）を抽出する。注目領域の切り出し方法については、例えば、特開２００６-０９２５５５号公報や特開２００６-０９２５５６号公報に開示がある。
機種判定手段３３は、情報表示装置１０から取得する情報をもとに情報表示装置１０の機種を判定する。判定した機種の情報は、レイアウト情報取得手段３４に通知される。
レイアウト情報取得手段３４は、判定した機種の情報をもとにして、機種データベース２２から該当する機種の操作キーの配置、数、形状、情報表示装置１０の画面解像度などのレイアウト情報を取得する。取得したレイアウト情報は、画像加工手段３５に通知される。
画像加工手段３５は、レイアウト情報取得手段３４から取得したレイアウト情報に基づいて、注目領域抽出手段３２で抽出した画像を操作キーの形状に加工する。
コンテンツ生成手段３６は、画像加工手段３５で加工した画像を用いて、情報表示装置１０上で表示可能なコンテンツを生成する。
【００２１】
図５を参照しながら制御部２４の処理について具体的に説明する。
図５（Ａ）には、情報表示装置１０からの取得要求に基づいて画像データベース２３から取り出した画像を示す。取り出した画像の注目領域を注目領域抽出手段３２で抽出し、情報表示装置１０の操作キーの形状となるように画像加工手段３５で加工する。図５（Ｂ）に操作キーの形状に類似するように加工した画像を示す。画像データを加工すると、コンテンツ生成手段３６で情報表示装置１０のキー配置と同じになるように画像を並べてコンテンツを作成する。図５（Ｃ）に、情報表示装置１０の表示画面に表示された画像を示す。
【００２２】
情報表示装置１０を、図６（Ａ）に示すＰＤＡやスマートフォンとした場合に、情報表示装置１０の表示画面に表示されるコンテンツの一例を図６（Ｂ）に示す。
また、図７には、画像とともに該当する操作キーの文字、数字、記号などを重畳したコンテンツを示す。
また、図８（Ａ）、（Ｂ）には、情報表示装置１０の表示部１３に表示される画像のうち、ページ送りボタンに対応付けられた画像に、次に表示される画像のステンドグラスコラージュ画像を表示した例を示す。ページ送りボタンを押下した場合に、次に表示される画像がページ送りボタンに割り付けされた画像として表示される。
なお、ステンドグラスコラージュ画像の作成方法については、例えば、特開２００５-２９３５７６号公報や特開２００５-２９３５７７号公報  に開示がある。
【００２３】
このように本実施例は、さまざまなデザイン（数、形状、配置、機能）の操作キーを持つ情報表示装置１０の表示画面上に、この情報表示装置１０の操作キーの形状に加工され、操作キーの配列に対応させた画像を表示させる。従って、画像の選択などの操作をユーザの直感的な操作で行うことが可能となる。
【００２４】
図９に示すフローチャートを参照しながら制御部２４の処理手順を説明する。
制御部２４は、情報表示装置１０から情報の取得要求を受け付けると（ステップＳ１／ＹＥＳ）、受け付けた情報から情報表示装置１０の機種を判定する。判定した機種情報をもとに機種データベース２２を参照して、情報表示装置１０の操作キーの配置、数、形状、情報表示装置１０の画面解像度などのレイアウト情報を取得する（ステップＳ２）。
【００２５】
次に、制御部２４は、取得要求のあった画像を画像データベース２３から取得し、取り出した画像から注目領域を切り出す。注目領域の画像を切り出すと、切り出した画像を情報表示装置１０の操作キーの形状に類似するように加工する（ステップＳ３）。加工した画像を情報表示装置１０のキー配列と同様に配置したコンテンツを生成する（ステップＳ４）。生成したコンテンツは、通信部２１にっより情報表示装置１０に送信する（ステップＳ５）。
【実施例２】
【００２６】
添付図面を参照しながら本発明の第２実施例について説明する。なお、上述した第１実施例と同一の機能を具備する装置については、第１実施例と同一の符号を付し、詳細な説明は省略する。
図１０に本実施例の構成を示す。本実施例は、入力装置５１を情報表示装置５０の外部においたものである。入力装置５１には、リモコンや操作パネルが該当し、情報表示装置５０には、携帯電話、ＰＤＡ、ゲーム機等の携帯端末以外に、デジタルカメラ、ＴＶ、電子黒板、店舗等に設置されたＫｉｏｓｋ端末、ディスプレイ装置などが該当する。
ユーザは入力装置（リモコン）５１を利用して、情報表示装置５０に表示させる画像を選択する。選択情報は、情報表示装置５０から情報処理装置２０に送信される。情報処理装置２０側の処理は、上述した実施例１と同様であり、受信した情報から入力装置（リモコン）５１のボタンの配置、形状、数等を機種データベース２２から取得する。入力装置（リモコン）５１のボタンと同じ形状で、入力装置（リモコン）５１のボタン配置と同じ配置のコンテンツを生成して、情報表示装置５０の表示画面に表示させる。
【００２７】
このようにリモコン等の入力装置５１の操作ボタンと同一形状で、操作キーの配列に対応させた画像を表示させることで、画像の選択などの操作をより簡単に行うことができる。
【実施例３】
【００２８】
添付図面を参照しながら本発明の第３実施例を説明する。なお、上述した第１実施例と同一の機能を具備する装置については、第１実施例と同一の符号を付し、詳細な説明は省略する。
本実施例は、図１１又は図１２に示すように情報表示装置６０内に実施例１の制御部２４を設けて、実施例１の情報処理装置２０の処理を情報表示装置６０で行う。なお、入力部１１は、図１２に示すように情報表示装置６０の外部に設けてもよい。
制御部２４内のＲＡＭ４３（図３参照）には、情報表示装置６０の操作キーのレイアウト情報や、表示部１３に表示させる画像が記憶されている。
制御部２４は、ＲＡＭ４３から読み出した画像や、ネットワークを介して取得した画像を表示部１３に表示する。このとき制御部２４は、ＲＡＭ４３に記憶した操作キーのレイアウト情報を参照して、利用可能な操作キーの数と同数の画像に分割し、さらに、操作キーの形状に類似するように画像を加工する。加工した画像は、図１３（Ａ）に示すように表示部１３に表示する。
【００２９】
ユーザによって操作キーが選択され、操作されると、選択された箇所に表示していた画像を拡大表示する。図１３（Ｂ）に、ユーザの選択操作によって拡大表示された画像を示す。
このように情報表示装置６０側で画像を加工して、情報表示装置６０の操作キーと同一形状で、操作キーの配列に対応させた画像を表示させるようにしても、上述した実施例と同様の効果を得ることができる。
【００３０】
上述した実施例は本発明の好適な実施例である。但しこれに限定されるものではなく、本発明の要旨を逸脱しない範囲内において種々変形実施可能である。
【図面の簡単な説明】
【００３１】
【図１】従来の携帯型装置に表示される画像の一例を示す図である。
【図２】システム構成を示すブロック図である。
【図３】情報表示装置と情報処理装置のハードウェア構成を示す図である。
【図４】プログラム制御によって実現される制御部の構成を示す。
【図５】制御部の処理手順を説明するための図である。
【図６】（Ａ）は情報表示装置の外観を示す図であり、（Ｂ）は（Ａ）に示す情報表示装置の表示部に表示される表示例を示す図である。
【図７】情報表示装置の表示部に表示される表示例を示しており、操作キーの配列に対応させた画像に、操作キーの文字、数字、記号などを重畳した例を示す図である。
【図８】情報表示装置の表示部に表示した画像のうち、ページ送りボタンに該当する画像に、次に表示される画像のステンドグラスコラージュ画像を表示した例を示す。
【図９】制御部の処理手順を示すフローチャートである。
【図１０】実施例２のシステム構成を示す図である。
【図１１】実施例３のシステム構成を示す図である。
【図１２】実施例３のシステム構成の他の例を示す図である。
【図１３】（Ａ）は情報表示装置の表示部に表示される画像の一例を示し、（Ｂ）は（Ａ）に示す画像のうち、選択部分を拡大表示させた例を示す図である。
【符号の説明】
【００３２】
１０  情報表示装置
１１  入力部
１２  取得部
１３  表示部
２０  情報処理装置
２１  通信部
２２  機種データベース
２３  画像データベース
２４  制御部
３１  画像・メタデータ取得手段
３２  注目領域抽出手段
３３  機種判定手段
３４  レイアウト情報取得手段
３５  画像加工手段
３６  コンテンツ生成手段
【図１】
2009099087.tif 000003
【図２】
2009099087.tif 000004
【図３】
2009099087.tif 000005
【図４】
2009099087.tif 000006
【図５】
2009099087.tif 000007
【図６】
2009099087.tif 000008
【図７】
2009099087.tif 000009
【図８】
2009099087.tif 000010
【図９】
2009099087.tif 000011
【図１０】
2009099087.tif 000012
【図１１】
2009099087.tif 000013
【図１２】
2009099087.tif 000014
【図１３】
2009099087.tif 000015